(57)【要約】      （修正有）【課題】使用者が一指或いは多指で入力装置を制御してより容易にいろいろな機能操作を実現するか、ファイル或いはウェブを見られるようにする入力装置を提供する。【解決手段】ベースと、上パネルと、センサー群と、処理モジュールと、を含む入力装置を提供する。前記上パネルは、前記ベースの上に形成され、上にはマトリックスに配列される複数の操作区域が形成されている。前記センサー群は、前記上パネルの下にマトリックスに配列されて対応する各々の操作区域の状態を検出する複数のセンサーを具備する。いずれかの操作区域が触られる場合、触れた操作区域に対応するセンサーが操作区域が触れる状態を検出する。前記処理モジュールは、前記センサー群に電気接続されて、少なくとも1つのセンサーが操作区域が触られる状態を検出した時に、操作区域が触れる状態、順序及び位置により対応する操作指令を形成してメーンフレームを操作する。【選択図】図２
2011216065.tif 000002
【特許請求の範囲】
【請求項１】
ベースと、
前記ベースの上に設置され、且つ上にマトリックス或いは他の方式に配列される複数の操作区域が形成される上パネルと、
前記上パネルの下にマトリックス或いは他の方式に配列されて対応する各々の操作区域の状態を検出する複数のセンサーを具備し、且つ複数の操作区域のいずれかが触られる場合、触れた操作区域に対応するセンサーが操作区域の触られる状態を検出するセンサー群と、
前記センサー群に電気接続され、少なくとも１つのセンサーが操作区域が触られる状態を検出した場合、操作区域が触れる状態、順序及び位置により対応する操作指令を形成してメーンフレームを操作する処理モジュールと、を含むことを特徴とする入力装置。
【請求項２】
各々のセンサーには、透明な材料で製造した所定の図案が形成され、
各々のセンサーと対応するように前記センサー群とベースとの間に配置され、且つ発光する時に前記センサーの図案が前記操作区域に投影されるようにする複数の発光ダイオードと、
前記処理モジュールと光源モジュールとの間に設置されて光源モジュールが発光するように駆動する駆動モジュールと、をさらに含むことを特徴とする請求項１の記載の入力装置。
【請求項３】
前記処理モジュールに電気接続され、マウスを入力装置としてに使う場合に、入力装置の表面上の位置を検出して位置決定用信号を形成し、且つ前記位置決定用信号を前記処理モジュールに伝送して操作指令を生じるようにする位置決定用モジュールをさらに含むことを特徴とする請求項１の記載の入力装置。
【請求項４】
メーンフレーム操作するための制御回路において、
複数の操作区域の下にマトリックス或いは他の方式に配列されて対応する操作区域の状態を検出する複数のセンサーを具備し、複数の操作区域のいずれかが触られる場合に触れた操作区域に対応するセンサーが操作区域の触られる状態を検出するセンサー群と、
前記センサー群に電気接続され、少なくとも１つのセンサーが操作区域が触られる状態を検出した場合、操作区域が触れる状態、順序及び位置により対応する操作指令を形成し、且つ前記操作指令によりメーンフレームを操作する処理モジュールと、を含むことを特徴とする制御回路。
【請求項５】
メーンフレームと、前記メーンフレームに電機接続されてメーンフレームを操作する入力装置を具備する電子システムにおいて、
前記入力装置は、
上にマトリックス或いは他の方式に配列される複数の操作区域が形成されている上パネルと、
前記上パネルの下にマトリックス或いは他の方式に配列されて対応する各々の操作区域の状態を検出する複数のセンサーを具備し、且つ複数の操作区域のいずれかが触られる場合、触れた操作区域に対応するセンサーが操作区域の触られる状態を検出し、且つ各々のセンサーに透明な材料で製造した所定の図案が形成されているセンサー群と、
前記センサー群に電気接続され、少なくとも１つのセンサーが操作区域が触られる状態を検出した場合、操作区域が触れる状態、順序及び位置により対応する操作指令を形成してメーンフレームを操作する処理モジュールと、を含むことを特徴とする電子システム。
【請求項６】
マトリックス或いは他の方式に配列される複数の操作区域と別々に対応するようにマトリックス或いは他の方式に設置されて対応する各々の操作区域の状態を検出する複数のセンサーを設置するステップと、
いずれかの操作区域が触られた場合、触られた操作区域の状態、順序及び位置により対応する操作指令を形成するステップと、
前記操作指令をメーンフレームに伝送してメーンフレームを操作するステップと、
各々のセンサーの上に透明な材料で対応する所定の図案を形成するステップと、
各々のセンサーの位置と対応するように複数の発光ダイオードを所定の位置に設置するステップと、
前記発光ダイオードを発光させて各々のセンサーの図案が対応する操作区域に投影されるようにするステップと、を含むことを特徴とするメーンフレームの操作方法。
【発明の詳細な説明】
【技術分野】
【０００１】
本発明は、入力装置の構造に関し、特にタッチ式入力装置の構造に関する。
【背景技術】
【０００２】
コンピュータの入力装置として、キーボード、マウス、トラックボール、ジョイスティック、タッチパネルなどが使われている。使用者は、前記入力装置を使ってコンピュータのいろいろな操作を実施することができる。例えば、画面上のカーソルを移動させるか、ファイルの移動、コピー或いは保存などの操作を実施する。
【０００３】
使用者が従来の入力装置、例えばマウスを使って画面上（表示装置の画面）のファイル或いはウェブを制御する場合、ファイル或いはウェブの縦方向サイズが画面の縦方向サイズより大きいと、画面の縦方向移動用ボタンを使ってファイル或いはウェブの位置を縦方向へ移動させることができる。即ち、画面の外部にあるファイル或いはウェブを見ることができないから、縦方向移動用ボタンを使ってファイル或いはウェブを画面の中心へ移動させなければならない。従って、ファイル或いはウェブを見る過程が不便になる。
【０００４】
前記ファイル或いはウェブの位置を容易に移動させるために、左ボタンと右ボタンの間にホイールが設置されるホイールマウスを開発した。前記ホイールマウスを使う場合、使用者が指で前記ホイールを回転させるとコンピュータが前記ホイールの一次元縦方向の回転量を検出し、前記ファイル或いはウェブを所定の位置へ移動させることができる。周知のように、キーボードの方向キーを使ってファイル或いはウェブを所定の位置へ移動させてもよい。
【０００５】
前記ファイル或いはウェブの横方向サイズが画面の横方向サイズより大きい場合には、画面の横方向移動ボタンを使ってファイル或いはウェブの位置を横方向へ移動させることができる。または、マウスで画面の横方向移動用ボタンをクリックして前記ファイル或いはウェブの位置を横方向へ移動させるか、ソフト式横方向移動用ボタンを使ってファイル或いはウェブの位置を横方向へ移動させることができる。
【発明の概要】
【発明が解決しようとする課題】
【０００６】
本発明の主な目的は、使用者が一指或いは多指で入力装置を制御して、より容易にいろいろな機能操作を実現するか、ファイル或いはウェブを見られるようにする入力装置と電子システムを提供することにある。本発明の他の目的は、使用者が容易にメーンフレームを制御することができる制御回路とその操作方法を提供することにある。
【課題を解決するための手段】
【０００７】
上記課題を解決するために本発明では、ベースと、上パネルと、センサー群と、処理モジュールと、を含む入力装置を提供する。前記上パネルは、前記ベースの上に形成され、上にはマトリックス或いは他の方式に配列される複数の操作区域が形成されている。前記センサー群は、前記上パネルの下にマトリックス或いは他の方式に配列されて対応する各々の操作区域の状態を検出する複数のセンサーを具備する。いずれかの操作区域が触られる場合、触れた操作区域に対応するセンサーが操作区域が触れる状態を検出する。前記処理モジュールは、前記センサー群に電気接続されて、少なくとも１つのセンサーが操作区域が触られる状態を検出した時に、操作区域が触れる状態、順序及び位置により対応する操作指令を形成する。且つ、前記操作指令を前記メーンフレームに伝送してメーンフレームを操作する。
【０００８】
前記入力装置は、前記処理モジュールに電気接続される位置決定用モジュールをさらに含む。前記位置決定用モジュールは、マウスを入力装置として使う場合に入力装置の表面上の位置を検出して位置決定用信号を形成し、且つ前記位置決定用信号を前記処理モジュールに伝送して処理モジュールが操作指令を形成するようにする。
【０００９】
前記入力装置において、前記上パネルの複数の操作区域がマトリックス配列されているか、他の方式に配列されている。
【００１０】
上記課題を解決するために本発明では、メーンフレームの操作に使う制御回路を提供する。前記制御回路は、センサー群と、処理モジュールと、を含む。前記センサー群は、複数の操作区域の下にマトリックス或いは他の方式に配列されて対応する操作区域の状態を検出する複数のセンサーを具備する。複数の操作区域のいずれかが触られる場合、触れた操作区域に対応する位置にあるセンサーが操作区域の接続状態を検出する。前記処理モジュールは、前記センサー群に電気接続されている。少なくとも1つのセンサーが操作区域が触られる状態を検出した場合、前記処理モジュールは操作区域が触れる状態、順序及び位置により対応する操作指令を形成し、且つ前記操作指令によりメーンフレームを操作する。
【００１１】
上記課題を解決するために本発明では、メーンフレームと前記メーンフレームに電機接続されてメーンフレームを操作する入力装置を具備する電子システムを提供する。前記電子システムの入力装置は、上パネルと、センサー群と、処理モジュールと、位置決定用モジュールとを含む。前記上パネルの上には、マトリックス或いは他の方式に配列される複数の操作区域が形成されている。前記センサー群は、前記上パネルの下にマトリックス或いは他の方式に配列されて対応する各々の操作区域の状態を検出する複数のセンサーを具備する。複数の操作区域のいずれかが触られた場合、触れた操作区域に対応するセンサーが操作区域の接続状態を検出する。前記処理モジュールは、操作区域が触れる状態、順序及び位置により対応する操作指令を形成してメーンフレームに伝送してメーンフレームを操作する。
【００１２】
前記入力装置において、各々のセンサーには透明な材料で製造した所定の図案が形成されている。前記センサー群の下には、複数の発光ダイオードを含む発光モジュールが形成されている。前記複数の発光ダイオードは、別々に各々のセンサーの位置と対応するように設置されている。前記発光ダイオードが発光する時に前記センサーの図案が前記操作区域に投影される。
【００１３】
上記課題を解決するために本発明では、以下のステップを含むメーンフレームの操作方法を提供する。即ち、マトリックス或いは他の方式に配列される複数の操作区域と別々に対応するようにマトリックス或いは他の方式に設置されて対応する各々の操作区域の状態を検出する複数のセンサーを設置するステップと、いずれかの操作区域が触られた場合、触られた操作区域の状態、順序及び位置により対応する操作指令を形成するステップと、前記操作指令をメーンフレームに伝送してメーンフレームを操作するステップと、各々のセンサーの上に透明な材料で対応する所定の図案を形成するステップと、各々のセンサーの位置と対応するように複数の発光ダイオードを所定の位置に設置するステップと、前記発光ダイオードを発光させて各々のセンサーの図案が対応する操作区域に投影されるようにするステップと、を含むメーンフレームの操作方法を提供する。
【発明の効果】
【００１４】
上述したように、前記入力装置の上パネルの下にマトリックスに配列されている複数のセンサーで、対応する操作区域の状態を別々に検出する。複数の操作区域のいずれかが触られる場合、触られた操作区域の状態、順序及び位置により対応する操作指令を形成し、且つ前記操作指令によりメーンフレームを操作する。従って、使用者が便利にメーンフレームを操作することができる。
【図面の簡単な説明】
【００１５】
【図１】本発明の第一実施形態に係る電子システムを示す図である。
【図２】本発明の第一実施形態に係る入力装置を示す分離図である。
【図３】本発明の第一実施形態に係るタッチ式マウスに適用する制御回路を示す図である。
【図４Ａ】本発明の実施形態に係るタッチ式マウスを操作することを示す図である。
【図４Ｂ】本発明の実施形態に係るタッチ式マウスを操作することを示す図である。
【図４Ｃ】本発明の実施形態に係るタッチ式マウスを操作することを示す図である。
【図５】本発明の第二実施形態に係る入力装置を示す分離図である。
【図６】本発明の第二実施形態に係るタッチ式マウス５００に適用する制御回路を示す図である。
【図７】本発明の第三実施形態に係るリモコン機能を有するタッチ式マウスに適用する制御回路を示す図である。
【図８】本発明の第一実施形態に係るメーンフレームの操作方法を示すフローチャートである。
【図９】本発明の第二実施形態に係るメーンフレームの操作方法を示すフローチャートである。
【発明を実施するための形態】
【００１６】
図１は、本発明の第一実施形態に係る電子システムを示す図である。本実施形態の電子システム１００は、入力装置１０２と、メーンフレーム１０４と、を含む。前記入力装置１０２は、伝送手段１０６により前記メーンフレーム１０４に電気接続されている。前記電子システム１００の使用者は、前記入力装置１０２を通して前記メーンフレーム１０４を制御することができる。
【００１７】
本実施形態の前記伝送手段１０６は、ユニバーサルシリアルバス（Universal Serial Bus、ＵＳＢと略称）などのような有線伝送手段から構成されるか、赤外線伝送手、ブルートゥース（Bluetooth：登録商標）などのような無線伝送手段から構成される。前記入力装置１０２は、マウス、プレゼンター、リモコンなどのようなものを指す。前記入力装置１０２で制御するメーンフレーム１０４は、デスクトップ型コンピュータ、携帯型コンピュータ、プロジェクター或いは家庭用電子装置などのようなものを指す。
【００１８】
図２は、本発明の第一実施形態に係る入力装置を示す分離図である。図２の入力装置２００は、図１の入力装置１０２に適用することができる。図２の入力装置２００は、ベース２０２と、上パネル２０４と、を含む。前記上パネル２０４は、プラスチックなどで形成される普通のパネルであり、タッチ機能などを有する特殊なパネルではない。前記上パネル２０４は、前記ベース２０２の上表面に覆われている。前記上パネル２０４の上には、マトリクスに配列される複数の操作区域Ａ１〜Ａ９が形成されている。他の実施形態で、使用者の需要に従って操作区域を他の方式に配列してもよい。即ち、複数の操作区域をマトリクスに配列しなく、円形或いは楕円形に配列してもよい。
【００１９】
本実施形態で、前記上パネル２０４の下にセンサー群２０６をさらに設置することができる。前記センサー群２０６は、マトリクスに配列される複数のセンサーＳ１、Ｓ２、Ｓ３を含む。他の実施形態で、前記センサー群２０６の複数のセンサーＳ１、Ｓ２、Ｓ３を他の方式に配列してもよい。即ち、複数のセンサーをマトリクスに配列しなく、複数の操作区域の配列方式に従って円形或いは楕円形に配列してもよい。各々のセンサーは、前記上パネル２０４に形成される複数の操作区域Ａ１〜Ａ９の対応する各々の操作区域の状態を別々に検出する。本実施形態のセンサー群２０６のセンサーは、コンデンサー式センサー、抵抗式センサー、マイクロウエーブ式センサー或いは圧力センサーであることができる。本実施形態の入力装置２００は、タッチ式入力装置であることができる。
【００２０】
図３は、本発明の第一実施形態に係るタッチ式マウスに適用する制御回路を示す図である。図３のタッチ式マウス用制御回路３００は、センサー群２０６と、処理モジュール３０４と、位置決定用モジュール３０６と、を含む。前記処理モジュール３０４は、前記センサー群２０６と前記位置決定用モジュール３０６との間に電気接続されている。本実施形態のタッチ式マウス用制御回路３００は、伝送ユニット３０８をさらに含む。前記伝送ユニット３０８は、前記処理モジュール３０４に電気接続され、且つ有線伝送手段或いは無線伝送手段により前記メーンフレーム３２０に電気接続されている。
【００２１】
前記センサー群２０６の各々のセンサーＳ１〜Ｓ９は、図２の複数の操作区域Ａ１〜Ａ９の対応する各々の操作区域の状態を別々に検出する。複数の操作区域Ａ１〜Ａ９で１つの操作区域も触れない場合、前記センサー群２０６が第一状態を代表する信号ＤＳ「１：９」を形成して前記処理モジュール３０４に伝送する。前記複数の操作区域Ａ１〜Ａ９の１つの操作区域が触れる場合、触れる操作区域に対応するセンサーが第二状態を代表する信号ＤＳ「ｎ」を形成して前記処理モジュール３０４に伝送する。前記ｎは、１≦ｎ≦９である整数である。例えば、操作区域Ａ１が触られた場合、操作区域Ａ１に対応するセンサーＳ１が第一状態を代表する信号ＤＳ「１」を形成して前記処理モジュール３０４に伝送する。本実施形態で、１つの信号ＤＳ「１」を４ビットの英字列から形成されている。
【００２２】
前記処理モジュール３０４は、デコーダー３１２と核心ユニット３１４を含む。前記核心ユニット３１４は、前記デコーダー３１２と前記伝送ユニット３０８との間に電気接続され、前記デコーダー３１２は、前記センサー群２０６と前記位置決定用モジュール３０６との間に電気接続されている。前記センサー群２０６が第二状態を代表する信号ＤＳ「ｎ」を形成して前記処理モジュール３０４に入力すると、前記デコーダー３１２がこの信号を解読する。前記デコーダー３１２は、前記位置決定用モジュール３０６が出力する位置決定用信号ＰＯＳも接収して解読する。本実施形態で、前記位置決定用モジュール３０６として、トラックボール式位置決定モジュール或いは光学式位置決定モジュールなどを使うことができる。他の実施形態で、前記位置決定用モジュール３０６として、ジャイロスコープ式位置決定モジュール或いは他の位置決定モジュールを使ってもよい。
【００２３】
第二状態を代表する信号ＤＳ「ｎ」と位置決定用信号ＰＯＳで少なくとも一信号が前記デコーダー３１２に入力される場合、デコーダー３１２が入力される信号を解読する一方、解読情報Ｄ＿ＤＡＴＡを形成して前記核心ユニット３１４に入力する。前記核心ユニット３１４は、前記解読情報Ｄ＿ＤＡＴＡにより操作指令ＯＰ＿ＩＮＳを形成して前記伝送ユニット３０８に入力する。前記伝送ユニット３０８は、伝送手段を通して前記操作指令ＯＰ＿ＩＮＳを前記メーンフレーム３２０に伝送してメーンフレーム３２０を制御する。本実施形態で、前記メーンフレーム３２０が画像を表示する表示装置を具備するコンピュータであることができる。
【００２４】
以下の実施形態で、図２の入力装置２００としてタッチ式マウスを使ってメーンフレームを制御する過程に対して説明する。
【００２５】
図４Ａ〜４Ｃは、本発明の実施形態に係るタッチ式マウスを操作することを示す図である。以下の実施形態で、図３と図４Ａを参照しながらタッチ式マウス４００を例にして説明する。前記タッチ式マウス４００の上パネル４０２には、複数の操作区域Ａ１〜Ａ９が形成されている。本実施形態のタッチ式マウス４００も図３に示したタッチ式マウス用制御回路３００を含む。使用者が指で前記タッチ式マウス４００の上パネル４０２を触る状態で、一列に配列される操作区域に沿って指をスライドさせる場合、例えば操作区域Ａ４、Ａ５及びＡ６に沿って指をスライドさせる場合、操作区域Ａ４、Ａ５及びＡ６に対応するセンサーＳ４、Ｓ５及びＳ６が順に前記指の動作を検出し、且つ第二状態を代表する信号ＤＳ「４：６」を形成して前記処理モジュール３０４に入力する。
【００２６】
前記処理モジュール３０４に第二状態を代表する信号ＤＳ「４：６」が入力される場合、前記デコーダー３１２が入力される信号を解読する一方、解読情報Ｄ＿ＤＡＴＡを形成して前記核心ユニット３１４に入力する。前記核心ユニット３１４は、使用者の指で触る操作区域の数量と順序によって操作指令ＯＰ＿ＩＮＳを形成する一方、前記伝送ユニット３０８を通して前記操作指令ＯＰ＿ＩＮＳを前記メーンフレーム３２０に伝送する。本実施形態で、前記メーンフレーム３２０は、表示装置を具備するコンピュータであることができる。前記操作指令ＯＰ＿ＩＮＳが前記伝送ユニット３０８により前記メーンフレーム３２０に入力された場合、前記メーンフレーム３２０は前記操作指令ＯＰ＿ＩＮＳにより表示装置に表示される表示内容を上へ移動させる。逆に、使用者がＡ６、Ａ５及びＡ４の順に前記操作区域を触る場合、前記メーンフレーム３２０が形成される操作指令により表示装置に表示される表示内容を下へ移動させる。
【００２７】
図３と図４Ｂを参照しなさい。使用者の指で前記タッチ式マウス４００の上パネル４０２を触る状態で、一行に配列される操作区域に沿って指をスライドさせる場合、例えば操作区域Ａ３、Ａ６及びＡ９に沿って指をスライドさせる場合、操作区域３、Ａ６及びＡ９に対応するセンサーＳ３、Ｓ６及びＳ９が前記指の動作を順に検出するばかりでなく、対応する信号を形成して前記処理モジュール３０４に入力する。前記デコーダー３１２は、前記処理モジュール３０４に入力される信号を解読する一方、解読情報Ｄ＿ＤＡＴＡを形成して前記核心ユニット３１４に入力する。前記核心ユニット３１４は、使用者の指が触る操作区域の数量と順序によって操作指令ＯＰ＿ＩＮＳを形成する一方、前記伝送ユニット３０８を通して前記操作指令ＯＰ＿ＩＮＳを前記メーンフレーム３２０に伝送する。前記メーンフレーム３２０は、前記操作指令ＯＰ＿ＩＮＳにより表示装置に表示される表示内容を左へ移動させる。逆に、使用者がＡ９、Ａ６及びＡ３の順に前記操作区域を触る場合、前記メーンフレーム３２０は前記操作指令により表示装置に表示される表示内容を右へ移動させる。
【００２８】
図３と図４Ｃを参照しなさい。使用者が２つの指（例えば食指と中指）で所定の方向に沿って二行の操作区域を触る場合、例えば食指で操作区域Ａ１、Ａ２及びＡ３の順に沿って操作区域Ａ１、Ａ２及びＡ３を触る同時に、中指で操作区域Ａ７、Ａ８及びＡ９の順に沿って操作区域Ａ７、Ａ８及びＡ９を触る場合、操作区域Ａ１、Ａ２及びＡ３に対応するセンサーＳ１、Ｓ２及びＳ３が順に食指の動作を検出し、操作区域Ａ７、Ａ８及びＡ９に対応するセンサーＳ７、Ｓ８及びＳ９が順に中指の動作を検出する。上述したように、前記核心ユニット３１４は、使用者の指が触る操作区域の数量と順序により操作指令ＯＰ＿ＩＮＳを形成する一方、前記伝送ユニット３０８を通して前記操作指令ＯＰ＿ＩＮＳを前記メーンフレーム３２０に伝送する。且つ、前記操作指令ＯＰ＿ＩＮＳにより前記メーンフレーム３２０の音量が小さくなる。逆に、使用者が逆方向へ前記操作区域を触る場合、前記メーンフレーム３２０の音量が大きくなる。
【００２９】
上述したタッチ式マウス４００は、従来のマウスの機能も実現することができる。例えば、前記タッチ式マウス４００を動かすことにより画面のカーソルが所定のファイルの上に置かれている時に、使用者が指で操作区域Ａ１、Ａ２及びＡ３のいずれかをクリックすることで、カーソルが位置するところのファイルを選択することができる。または、使用者が指で操作区域Ａ１、Ａ２及びＡ３のいずれかをクリックすることで、カーソルが位置するところのファイルを開くことができる。または、使用者が指で操作区域Ａ７、Ａ８及びＡ９のいずれかをクリックすることで、デスクトップ或いは画面にショートカットを形成することができる。
【００３０】
図５は、本発明の第二実施形態に係る入力装置を示す分離図である。本実施形態の入力装置５００は、ベース５０２と、上パネル５０４と、センサー群５０６と、を含む。前記上パネル５０４は、前記ベース５０２の上表面に覆われている。前記センサー群５０６は、前記上パネル５０４の下にマトリクスに配列される複数のセンサーを含む。前記センサー群５０６の各々のセンサーに所定の図案を形成することができる。各々のセンサーの図案は、図５に示す図案Ｐ１、Ｐ２及びＰ３のように透明な材料で製造することができる。
【００３１】
本発明の入力装置５００は、前記センサー群５０６と前記ベース５０２との間に形成される光源モジュール５１０をさらに含む。前記光源モジュール５１０が駆動されて発光する場合、各々のセンサーの図案が対応する各々の操作区域に投影される。他の実施形態の光源モジュール５１０は、複数の発光ダイオードＬ１、Ｌ２及びＬ３を含むことができる。前記複数の発光ダイオードＬ１、Ｌ２及びＬ３は、センサーＳ１、Ｓ２及びＳ３の位置と別々に対応する位置に設置されている。
【００３２】
図６は、本発明の第二実施形態に係るタッチ式マウス５００に適用する制御回路を示す図である。図５と図６を参照なさい。図６の制御回路６００は、センサー群５０６と、処理モジュール６０４と、伝送ユニット６０８と、を含む。前記センサー群５０６は、前記処理モジュール６０４に電気接続され、前記処理モジュール６０４は、前記伝送ユニット６０８により前記メーンフレーム６２０に電気接続されている。前記メーンフレーム６２０は、家庭用電子装置、プレゼンター或いはプロジェクターであることができる。前記処理モジュール６０４は、デコーダー６１２と核心ユニット６１４を含む。前記核心ユニット６１４は、前記伝送ユニット６０８に電気接続され、且つ前記デコーダー６１２により前記センサー群５０６に電気接続されている。
【００３３】
本実施形態の処理モジュール６０４、伝送ユニット６０８と、図３の処理モジュール３０４、伝送ユニット３０８が似ているので、本実施形態で再度説明しない。本実施形態の制御回路６００は、前記核心ユニット６１４と前記光源モジュール５１０との間に電気接続される駆動モジュール６３２をさらに含む。前記光源モジュール５１０は、複数の発光ダイオードＬ１〜Ｌ９を含む。本実施形態の入力装置５００が作動された場合、前記核心ユニット６１４は前記駆動モジュール６３２の電気出力を制御して前記発光ダイオードＬ１〜Ｌ９が発光するようにする。
【００３４】
上述した入力装置を家庭用電子装置、例えば音響システム、メディアプレーヤーなどに適用してタッチ式リモコンを得ることができる。前記入力装置５００の上パネル５０４に各センサーＳ１〜Ｓ９の図案の投影が形成されているので、使用者が需要に従って複数の操作区域のいずれかを選択してクリックすることができる。使用者が複数の操作区域のいずれかをクリックする場合、その操作区域に対応するセンサーが前記クリック動作を検出する一方、検出信号ＤＳ「ｎ」を形成して前記処理モジュール６０４に伝送する。前記デコーダー６１２は、前記処理モジュール６０４に入力される信号を解読する一方、解読情報Ｄ＿ＤＡＴＡを形成して前記核心ユニット６１４に入力する。前記核心ユニット６１４は、使用者の指で触る操作区域の位置により操作指令ＯＰ＿ＩＮＳを形成して前記メーンフレーム６２０に入力し、メーンフレーム６２０を制御する。
【００３５】
以下、前記メーンフレーム６２０としてメディアプレーヤーを使い、前記操作区域Ａ１が「プレイ」機能を実現するボタンになった場合を例にして説明する。使用者が操作区域Ａ１を触る場合、操作区域Ａ１に対応するセンサーＳ１が検出信号Ｓ１を形成して前記処理モジュール６０４に入力する。前記デコーダー６１２は、前記処理モジュール６０４に入力される検出信号を解読する一方、解読情報Ｄ＿ＤＡＴＡを形成して前記核心ユニット６１４に入力する。前記核心ユニット６１４は、「プレイ」機能に関する操作指令ＯＰ＿ＩＮＳを形成する。前記操作指令ＯＰ＿ＩＮＳが前記伝送ユニット６０８により前記メーンフレーム６２０に伝送されると、前記メーンフレーム６２０が「プレイ」機能を実現することができる。
【００３６】
上述した入力装置によりタッチ式プレゼンターも実現することができる。前記タッチ式プレゼンターと前記タッチ式プレリモコンの作動原理が同じであるので再度説明しない。
【００３７】
図７は、本発明の第三実施形態に係るリモコン機能を有するタッチ式マウスに適用する制御回路を示す図である。図７のタッチ式マウスに適用する制御回路７００は、メーンフレーム６２０を制御するタッチ式マウス用制御回路３００と、タッチ式マウス用制御回路６００と、の連合体であると見なすことができる。前記制御回路７００は、センサー群７０２と、処理モジュール７０４と、伝送ユニット７０６と、位置決定用モジュール７１２と、駆動モジュール７１４と、光源モジュール７１６と、を含む。前記制御回路７００の組成品に対して以上の実施形態で説明したので、本実施形態で再度説明しない。
【００３８】
前記制御回路７００は、前記処理モジュール７０４に電気接続されて前記制御回路７００の操作方式を変換する変換ユニット７１８をさらに含む。即ち、使用者がマウスで操作を行う場合、前記処理モジュール７０４が前記位置決定用モジュール７１２を駆動させる一方、位置決定用モジュール７１２が出力する位置決定用信号ＰＯＳを接収する。この場合、電気を節約するために、前記駆動モジュール７１４を駆動させなくてもよい。使用者が前記変換ユニット７１８を介してリモコンの操作方式を選択して操作を行う場合、前記処理モジュール７０４が前記位置決定用モジュール７１２を駆動させなく、前記駆動モジュール７１４の電流出力を駆動させて前記光源モジュール７１６の発光ダイオードＬ１〜Ｌ９を駆動してもよい。従って、前記センサー群７０２の各々のセンサーＳ１〜Ｓ９の図案が前記操作区域Ａ１〜Ａ９に投影される。
【００３９】
図８は、本発明の第一実施形態に係るメーンフレームの操作方法を示すフローチャートである。図８のステップＳ８０２で、複数の操作区域の状態を別々に検出する複数のセンサーを設置する。ステップＳ８０４で、操作区域が触られるかを判断する。少なくとも1つの操作区域が触られた場合（即ちステップＳ８０４の「ＹＥＳ」を選択して以下のステップを実施する）、ステップＳ８０６で操作区域が触れる状態、順序及び位置により対応する操作指令を形成する。ステップＳ８０８で、無線伝送手段或いは有線伝送手段により前記ステップＳ８０６で形成される操作指令を前記メーンフレームに伝送してメーンフレームを制御する。
【００４０】
図９は、本発明の第二実施形態に係るメーンフレームの操作方法を示すフローチャートである。図９のステップで、ステップＳ８０２で設置する対応する各々のセンサーに所定の図案を形成する。前記所定の図案は、透明な材料で形成する。ステップＳ９０４で、各々のセンサーの位置と対応する位置に複数の発光ダイオードを設置する。ステップＳ９０６で、前記複数の発光ダイオードＬを駆動して、各々のセンサーの図案が対応する各々の操作区域に投影されるようにする。従って、前記操作区域に投影される図案により使用者が需要な操作を選択することができる。
【００４１】
上述したように、前記入力装置の上パネルの下に上パネルの操作区域の状態を検出する複数のセンサーがマトリックスに配列されているので、本発明の入力装置は使用者が便利にファイル或いはウェブを見ることができる。又、センサーに形成される図案が前記上パネルに投影されるので、使用者が家庭電子装置のリモートコントロールに容易に使うことができる。
【００４２】
本発明では、入力装置の上パネルの下に配置される複数のセンサーにより各々の操作区域の状態を検出する。即ち、タッチパネルにより使用者の操作を検出することではないので、上パネルの操作区域をマトリックスに配列しなく、使用者の習慣或いは実の需要により操作区域を配列することができる。
【符号の説明】
【００４３】
１００  電子システム
１０２、２００、５００  入力装置
１０４、３２０、６２０、７２０  メーンフレーム
１０６  伝送手段
２０２、５０２  ベース
２０４、４０２、５０４  上パネル
２０６、５０６、７０２  センサー群
３００、６００、７００  制御回路
３０４、６０４、７０４  処理モジュール
３０６、７１２  位置決定用モジュール
３０８、７０６  伝送ユニット
３１２、６１２  デコーダー
３１４、６１４  核心ユニット
４００  タッチ式マウス
５１０、７１６  光源モジュール
６３２、７１４  駆動モジュール
７１８  変換ユニット
Ａ１〜Ａ９  操作区域
Ｄ＿ＤＡＴＡ  解読情報
ＤＳ［１  ９］  検出信号
Ｌ１〜Ｌ９  発光ダイオード
ＯＰ＿ＩＮＳ  操作指令
Ｐ１、Ｐ２、Ｐ３  図案
ＰＯＳ  位置決定用信号
Ｓ１〜Ｓ９  センサー
Ｓ８０２、Ｓ８０４、Ｓ８０６、Ｓ８０８、Ｓ９０２、Ｓ９０４、Ｓ９０６  ステップ
【図１】
2011216065.tif 000003
【図２】
2011216065.tif 000004
【図３】
2011216065.tif 000005
【図４Ａ】
2011216065.tif 000006
【図４Ｂ】
2011216065.tif 000007
【図４Ｃ】
2011216065.tif 000008
【図５】
2011216065.tif 000009
【図６】
2011216065.tif 000010
【図７】
2011216065.tif 000011
【図８】
2011216065.tif 000012
【図９】
2011216065.tif 000013